(57)【特許請求の範囲】
【請求項１】
印加される電圧により発振周波数が変化する電圧制御発振手段と、前記電圧制御発振手段の発振周波数を分周する分周手段と、前記分周手段の分周比を設定する分周比設定手段と、前記分周比設定手段を制御するデータを受信するデータ受信手段と、選択手段と、基準信号発生手段と、前記分周手段と前記基準信号発生手段の信号の位相比較を行い位相誤差信号を出力する位相比較手段と、前記位相比較手段からの前記位相誤差信号を前記電圧制御発振手段に帰還させ発振周波数を制御する構成であって、
前記データ受信手段で受信するシリアルデータはチャンネル番号を指定するデータブロックを複数有し、前記選択手段は前記シリアルデータの中の前記データブロックのうちの一つを選択し、前記分周比設定手段は前記選択されたデータブロックのチャンネル番号データと所定の分周比データとを加算したデータを分周比データとして前記分周手段に設定する構成とした通信装置。
【請求項２】
印加される電圧により発振周波数が変化する電圧制御発振手段と、前記電圧制御発振手段の発振周被数を分周する分周手段と、前記分周手段の分周比を設定する分周比設定手段と、前記分周比設定手段を制御するデータを受信するデータ受信手段と、選択手段と、基準信号発生手段と、前記分周手段と前記基準信号発生手段の信号の位相比較を行い位相誤差信号を出力する位相比較手段と、前記位相比較手股からの前記位相誤差信号を前記電圧制御発振手段に帰還させ発振周波数を制御する構成であって、
前記分周比設定手段はあらかじめ定められた複数の分周比データを有し、前記データ受信手段からのデータで制御される切り換え手段に基づいて前記複数の分周比データのうちの１つを選択し所定の分周比データとするとともに、前記データ受信手段で受信するシリアルデータはチャンネル番号を指定するデータブロックを複数有し、前記選択手段は前記シリアルデータの中の前記データブロックのうちの一つを選択し、前記分周比設定手段は前記選択されたデータブロックのチャンネル番号データと前記所定の分周比データとを加算したデータを分周比データとして前記分周手段に設定する構成とした通信装置。
【請求項３】
前記選択手段は、前記選択手段に接続された選択端子がHighまたはLowによって、前記シリアルデータの中のチャンネル番号を指定する二つのデータブロックのうちのどちらを選択するかを切り換える構成とした請求項１または請求項２記載の通信装置。
【発明の詳細な説明】
【０００１】
【発明の属する技術分野】
本発明は、チャンネル選択にＰＬＬ方式を用いた通信装置に関するものであり、特に電池で駆動され電池消耗を防ぐために間欠受信を行う通信装置に関するものである。
【０００２】
【従来の技術】
従来のＰＬＬ方式を用いた通信装置は、マイコン等から送られるシリアルデータに含まれる分周比データを分周手段に設定することによりチャンネルを選択するようになっている。図７に従来の通信装置のブロック図を示し説明する。図７において、１はアンテナ、２は送受信手段、３は電圧制御発振手段（以下ＶＣＯと呼ぶ）、４はＶＣＯからの周波数を１／Ｎに分周する第一の分周手段、５は位相比較手段、６は入力周波数を１／Ｍに分周する第二の分周手段、７はローパスフィルタ、８は水晶発振器であり、第二の分周手段６と水晶発振器８で基準信号発生手段を構成している。１０はデータ受信手段でありシリアル入力を有している。送受信手段２ではＶＣＯの発振周波数で決まる周波数の電波が送受信される。第二の分周手段６は固定分周手段である。第一の分周手段４は可変分周手段であり、データ受信手段１０からの分周比データが設定される。位相比較手段５で基準信号とＶＣＯの周波数が１／Ｎされた信号の位相が比較され位相差に相当する信号がローパスフィルタ７を介してＶＣＯに帰還され、ＶＣＯの発振周波数が基準信号周波数のＮ倍になるよう制御する。データ受信手段１０はシリアル入力端子を有し、マイコン等から第一の分周手段に設定する分周比データが送られてくる。
【０００３】
【発明が解決しようとする課題】
しかしながら上記従来の通信装置では、データ受信手段１０のシリアル入力端子を用いてマイコン等より第一の分周手段４に設定する分周比データを直接伝送していた。そのためシリアル伝送に必要なビット数が大きくシリアル伝送に時間がかかっていた。例えば基準信号を１２．５ｋＨｚ、ＶＣＯの所要発振周波数を４２９ＭＨｚとすると、上記分周比データは３４３２０となり１６ビットのシリアル伝送が必要となる。電池駆動のため省電力をはかるために周期的に受信手段の電源をＯＮしキャリアがあるかどうかを検出し、キャリアがなければすぐに電源をＯＦＦするいわゆる間欠受信を行う通信装置では、上記のごとくシリアル伝送に時間がかかるとマイコンの動作時間や通信装置自体の動作時間が長くなりよって消費電流が増えてしまうという課題を有していた。
【０００４】
【課題を解決するための手段】
本発明は上記課題を解決するためにあらかじめ通信装置内部に固定の分周比データを用意しておき、シリアル伝送ではチャンネル情報のみを伝送することによりシリアル伝送のビット数を削減でき、よって消費電力を削減するようにしたものである。
【０００９】
【発明の実施の形態】
本発明は、印加される電圧により発振周波数が変化する電圧制御発振手段と、前記電圧制御発振手段の発振周波数を分周する分周手段と、前記分周手段の分周比を設定する分周比設定手段と、前記分周比設定手段を制御するデータを受信するデータ受信手段と、選択手段と、基準信号発生手段と、前記分周手段と前記基準信号発生手段の信号の位相比較を行い位相誤差信号を出力する位相比較手段と、前記位相比較手段からの前記位相誤差信号を前記電圧制御発振手段に帰還させ発振周波数を制御する構成であって、前記データ受信手段で受信するシリアルデータはチャンネル番号を指定するデータブロックを複数有し、前記選択手段は前記シリアルデータの中の前記データブロックのうちの一つを選択し、前記分周比設定手段は前記選択されたデータブロックのチャンネル番号データと所定の分周比データとを加算したデータを分周比データとして前記分周手段に設定する構成としている。そして、１回のシリアル伝送で２チャンネルの設定を行うことができ、どちらのチャンネルを分周手段に設定するかを決定できる。設定可能なチャンネル数を増やしかつシリアル伝送のビット数を削減できる。
【００１０】
また、印加される電圧により発振周波数が変化する電圧制御発振手段と、前記電圧制御発振手段の発振周被数を分周する分周手段と、前記分周手段の分周比を設定する分周比設定手段と、前記分周比設定手段を制御するデータを受信するデータ受信手段と、選択手段と、基準信号発生手段と、前記分周手段と前記基準信号発生手段の信号の位相比較を行い位相誤差信号を出力する位相比較手段と、前記位相比較手股からの前記位相誤差信号を前記電圧制御発振手段に帰還させ発振周波数を制御する構成であって、前記分周比設定手段はあらかじめ定められた複数の分周比データを有し、前記データ受信手段からのデータで制御される切り換え手段に基づいて前記複数の分周比データのうちの１つを選択し所定の分周比データとするとともに、前記データ受信手段で受信するシリアルデータはチャンネル番号を指定するデータブロックを複数有し、前記選択手段は前記シリアルデータの中の前記データブロックのうちの一つを選択し、前記分周比設定手段は前記選択されたデータブロックのチャンネル番号データと前記所定の分周比データとを加算したデータを分周比データとして前記分周手段に設定する構成としている。そして、１回のシリアル伝送で２チャンネルの設定を行うことができ、どちらのチャンネルを分周手段に設定するかを決定できる。設定可能なチャンネル数を増やしかつシリアル伝送のビット数を削減できる。
【００１１】
また、前記選択手段は、前記選択手段に接続された選択端子がHighまたはLowによって、前記シリアルデータの中のチャンネル番号を指定する二つのデータブロックのうちのどちらを選択するかを切り換える構成とした。
【００１２】
【実施例】
以下本発明の実施例を図面を用いて説明する。
【００１３】
（実施例１）
図１は本発明の実施例１の通信装置のブロック図である。
【００１４】
図１において、１はアンテナ、２は送受信手段、３はＶＣＯ、４はＶＣＯからの周波数を１／Ｎに分周する第一の分周手段、５は位相比較手段、６は入力周波数を１／Ｍに分周する第二の分周手段、７はローパスフィルタ、８は水晶発振器であり、第二の分周手段６と水晶発振器８で基準信号発生手段を構成している。９は分周比設定手段、１０はデータ受信手段でありシリアル入力を有している。図７の従来例と異なるところは、分周比設定手段９を設けたことである。
【００１５】
図２に分周比設定手段９の構成を示すブロック図を示す。図２において、１１から１４はそれぞれ分周比データ１から４である。１５は切り換え手段、１６はデータ受信手段１０からのデータ、１７は分周手段４に対して設定するための分周比データである。１１から１４に示す分周比データ１から４はＲＯＭに設定された２進数或いは、配線基板によりグラウンドあるいはホットラインに接続配線で構成された２進数を示す。切り換え手段１５は、出力１７に分周比データ１から４のどれを出力するかを入力信号１６により選択する機能を有している。従って図２の例では入力信号１６は２ビットでよい。すなわちデータ受信手段１０に伝送されるシリアルデータは２ビットでよいことになり、シリアル伝送のビット数を大幅に削減できる。分周比データ１と分周比データ２は受信のための分周比データであり、分周比データ３と分周比データ４は送信のための分周比データである。送信と受信でそれぞれ２チャンネルを選択できる。
【００１６】
（実施例２）
図３は分周比設定手段９の実施例２を示すブロック図である。１８は分周比データ、１９は加算器、２０は加算器１９に入力する一方の加算データであり、データ受信手段１０より送られてくる。
【００１７】
次に動作，作用について説明すると分周比データ１８は実施例１と同様ＲＯＭあるいは配線接続で設定されている。例えば分周比３４３２０に設定されている。これは１５ビットである。入力信号２０はチャンネル番号に相当する信号が入力する。チャンネルとして６４チャンネルの設定を可能にしようと思えば、６ビットの伝送でよい。加算器１９で分周比データ１８からの３４３２０と入力信号２０のチャンネル番号が加算され６４チャンネルのうちの一つのチャンネルの分周比データが出力１７に出力される。
【００１８】
（実施例３）
図４は分周比設定手段９の実施例３を示すブロック図である。１１から１４に示す分周比データ１から４のうちの一つの分周比データが切り換え手段１５で選択され、加算器１９においてデータ受信手段１０からのチャンネル番号データ２０と加算され、分周比データとして出力１７に出力される。出力１７の分周データは図１に示す第一の分周手段４に設定される。入力１６及び入力２０は共にデータ受信手段１０より送られてくるデータである。入力１６は２ビット、入力２０は６ビットである。
【００１９】
（実施例４）
図５は本発明の通信装置の実施例４を示すブロック図である。図５において、図１と異なる点は選択手段２１と選択端子２２が追加になっていることである。選択手段２１ではデータ受信手段１０からのデータのうちのどのブロックのデータを使用するかどうかを選択する。選択動作は選択端子２２のｈｉｇｈ／ｌｏｗにより行われる。表１にデータ受信手段に入力するシリアルデータのフォーマットの例を示す。
【００２０】
【表１】
0003812099.tif 000002
【００２１】
シリアルデータは最長１４ビット、最短６ビットからなる。送られてくる順番はＤ１１の方からである。後ろのビットＡ及びＢはＤ０からＤ１１のビットの種類を選択するためのものである。Ｃ１０からＣ１５及びＣ２０からＣ２５はそれぞれチャンネル番号データである。選択手段２１では選択端子２２がＬＯＷの時にはＣ１０からＣ１５のデータが選択され、選択端子２２がＨＩＧＨの時にはＣ２０からＣ２５のデータが選択される。図２、図４に示す切り換え手段１５の入力１６はバンド選択Ｐ３，Ｐ４及び送信／受信選択Ｐ６、ＩＦ周波数選択Ｐ０等であり、使用する分周比データを選択する。１回のシリアルデータで複数のチャンネル番号を伝送しておき、選択端子２２でどのデータを使うかを選択するためチャンネルの切り換え時にシリアルデータを送る必要がなく高速にチャンネル切り替えが可能となる。
【００２２】
また、ビット長はビットＡ，Ｂで決定されるため、Ａ，Ｂをチェックすることによりビット長を知ることができる。そしてビットＡ，Ｂは最終のビットであるためシリアルデータを可変長にしても容易にＡ，Ｂをチェックすることができる。
【００２７】
【発明の効果】
以上のように本発明によれば、分周比設定手段はあらかじめ定められたデータと前記選択端子で選択されたデータとを加算したデータを分周比データとして前記分周手段に設定する構成としているので、１回のシリアル伝送で２チャンネルの設定を行うことができ、どちらのチャンネルを分周手段に設定するかを決定できる。設定可能なチャンネル数を増やしかつシリアル伝送のビット数を削減できる。
【００２８】
また、分周比設定手段はあらかじめ定められた複数の分周比データを有し前記選択手段で選択された第一のデータに基づき前記複数の分周比データのうちの１つを選択するとともに前記選択手段で選択された第二のデータと加算し、前記加算データを分周比データとして前記分周手段に設定する構成としているので、１回のシリアル伝送で２チャンネルの設定を行うことができ、どちらのチャンネルを分周手段に設定するかを決定できる。設定可能なチャンネル数を増やしかつシリアル伝送のビット数を削減できる。
【図面の簡単な説明】
【図１】本発明の実施例１の通信装置のブロック図
【図２】同通信装置の分周比設定手段のブロック図
【図３】本発明の実施例２の通信装置の分周比設定手段のブロック図
【図４】本発明の実施例３の通信装置の分周比設定手段のブロック図
【図５】本発明の実施例４の通信装置のブロック図
【図６】従来の通信装置のブロック図
【符号の説明】
１  アンテナ
２  送受信手段
３  ＶＣＯ
４  第一の分周手段
５  位相比較手段
６  第二の分周手段
７  ローパスフィルタ
８  水晶発振器
９  分周比設定手段
１０  データ受信手段
１１〜１４  分周比データ
１５  切り換え手段
１９  加算器
２１  選択手段
２２  選択端子
【図１】
0003812099.tif 000003
【図２】
0003812099.tif 000004
【図３】
0003812099.tif 000005
【図４】
0003812099.tif 000006
【図５】
0003812099.tif 000007
【図６】
0003812099.tif 000008